(57)【要約】【課題】一般に小物入れの箱は外観が美しくても、驚きや不思議さを感じさせるような知性を刺激することがない。また、貼付したラベル内容の印象が残りにくい。【解決手段】一面開放の直方体形状をした箱で、同一寸法の２体の内箱１，３と、それらの蓋となる２体の同一寸法の外箱２，４の計４体から構成される箱のセットとし、それらを特殊寸法で作ることにより、内外任意組合せの一方の内外合体箱を残る他方の内外箱に収容できるものとし、手に取る者が２対の内外箱の大小関係の判断に関して困惑を覚えるようにする。更に、貼付するラベル５には鏡で映しても映していないかのように読めるほぼ上下対称字体の言葉６及びと９０度左回転したほぼ左右対称文字だけからなる言葉７と鏡に映さないと判別し難い上下鏡像反転した文ないし言葉８とを一緒に記載することにより見る者を困惑させ話題性を加える。【選択図】図１
2011178431.tif 000002
【特許請求の範囲】
【請求項１】
同一形状寸法の内箱２体と同一形状寸法の外箱２体の計４体から構成される内外箱２対からなる箱のセットで、その内箱ないし外箱にほぼ上下対称字体の文字及び／又は９０度左回転したほぼ左右対称字体の文字だけからなる言葉と任意の言葉ないし文を上下鏡像反転して読みにくくした隠し言葉として記載したラベル又は、ほぼ左右対称の文字だけからなる言葉と任意の言葉ないし文を左右鏡像反転して読みにくくした隠し言葉として記載したラベルを貼付しており、その形状寸法と厚さは、外箱の開放面を下にした直方体の頂面の長辺、短辺及び直方体高さの外形寸法をそれぞれＡ，Ｂ，Ｃ、内箱の開放面を上にした直方体の底面の長辺、短辺及び直方体高さの外形寸法をそれぞれａ，ｂ，ｃ、外箱の厚さをＴ、内箱の厚さをｔとした時、
Ａ＞ａ＋２Ｔ
Ｂ＞ｂ＋２Ｔ
Ｃ≦ｃ＋Ｔ
ａ＞Ｂ＋２ｔ
ｂ＞ｃ＋２ｔ＋Ｔ
ｃ＞Ａ／２
の不等式が成り立つようにしたことを特徴とする箱セット。
【請求項２】
請求項１の箱をボール紙によって製作し、千代紙及び／又は布を貼付した箱セット。
【請求項３】
請求項１の箱セットで、内箱及び／又は外箱を漆器によって製作した箱セット。
【請求項４】
請求項１の箱セットで、内箱及び／又は外箱を金属によって製作した箱セット。
【発明の詳細な説明】
【技術分野】
【０００１】
本発明は、装身具などの小物を入れる内箱とその蓋となる外箱とからなる小箱セットに関するものである。
【背景技術】
【０００２】
本発明は、装身具などの小物を入れる小箱セットであり、同一形状寸法の２体の内箱とそれらの蓋となって対をなす同一形状寸法の２体の外箱の合計４体からなるものである。箱そのものが持つ特殊な寸法と、箱に貼付したラベルの文字形態に関する工夫により、見る者の常識を覆す驚きと、新たな発見による喜びを感じさせることで、美麗な小物入れの小箱に知的な魅力を付加しようとするものである。そこで、まず本発明の背景となる特殊寸法に関して説明する。
【０００３】
本小箱セットは一面開放の直方体形状をした内箱と、同じく一面開放の直方体形状で内箱より大きい外箱の２種類からなり、それぞれ同一形状寸法の２体づつ、合計４体の内外箱から構成される。内箱に外箱を被せて合体することができ、この内外箱１体づつの組合せを１対と数えるよう定義すると、２対の内外箱をもって全体の１組とする箱セットである。この２対の内箱、外箱をある特殊寸法にすることにより、それぞれが同一寸法でありながら、どちらか１対の合体させた内外箱を他方の内箱に嵌め込み残る外箱を被せて、２対の内外箱全体を一つに合体することができる。
【０００４】
この特殊寸法とは内箱底面内側の長方形の寸法を、外箱の一側面の外側の長方形より一回り大きい寸法とするもので、一方の内外合体箱を他方の内箱に入れる際には最初に合体した内外箱の一側面を他方の内箱の底に向けて入れることで嵌め込むことが可能となる。こうして、２対の内外箱のどちらの１対も収容側になったり、被収容側になったりできるという、箱の寸法に関わる一見不可思議な事実は一部のパズル愛好家に知られたものであり、プラスチック板を切断、接着して作られた例がある。
【０００５】
箱にはその名称や内容物、メーカなどの記載が英文字ないし漢字、ひら仮名などを使って示したラベルが貼ってあることがある。使用されている文字は種々の字体や大きさ、色彩を使ってデザインされている。これを鏡に映して見た時の鏡像は、文字自体や字の並び順序が左右反転するので読みにくくなる。たとえほぼ左右対称の文字だけで文字自体の鏡像が同様の字であっても字順が反転しているため、言葉としての意味をなさない。これらの常識から、鏡に映した言葉を直に見た時と同様に読むことはできないと一般に認識されている。
【０００６】
しかし、ほぼ上下対称の字体をした英大文字であるＢ、Ｃ、Ｄ、Ｅ、Ｈ、Ｉ、Ｋ、Ｏ、Ｘからだけで構成された英単語、例えばＢＯＸ，ＣＨＯＩＣＥ，ＣＨＥＣＫ，ＢＯＯＫ，ＥＣＯなどの単語に着目すると、これらを記した像を上下反転させるように鏡に映して見ても、ほぼ上下対称の字体なので文字は映す前とほぼ同様であり字順も変わらないので、まるで鏡で映したものではないかのような通常の単語として読むことができる。
【０００７】
また、ほぼ左右対称の字体をした英大文字Ａ、Ｈ、Ｉ、Ｍ、Ｏ、Ｔ、Ｕ、Ｖ、Ｗ、Ｘ、Ｙは、各文字を９０°左回転して倒置させて記載すると、ほぼ上下対称の字体となり、上記同様、上下倒置した状態で鏡に映してもほぼ変わらない字体なので、読めるようになる。例えば、ＷＨＹ，ＷＨＡＴ，ＷＨＯ，ＨＯＷなどの英単語がこれにあたる。
【０００８】
更に、ほぼ左右対称の形態をもった大、中、小、幸、吉、富、士、東、京などの漢字からなる単語を縦書きにして記載した場合、これらの単語の像を左右反転させるように鏡に映しても、映す前とほぼ同様の字体であり字順も変わらないので、まるで鏡で映したものではないかのように通常の文字として読むことができる。これには、全日本、東京、中華、日中米、卒業、宣言などをはじめ、多くの漢単語が存在する。
【０００９】
そこで、ほぼ上下対称の文字だけ、又は、ほぼ左右対称の文字だけからなる言葉の文字を９０°左回転して倒置させて記載し、上下反転するよう鏡に映すと通常通り読めるので、この文字の対称性を意識せずに見た者は鏡による逆転が発生していないかのような非常に奇異な印象を受けることになる。また、ほぼ左右対称の文字だけからなる言葉を縦書きにして左右反転するよう鏡に映しても同様である。但し、これらの字体に関しては使用するフォントにより上下、ないし左右の対称性が異なるので、その選択には気をつける必要がある。
【先行技術文献】
【非特許文献】
【００１０】
【非特許文献１】芦が原伸之著  「パズルをつくる」大月書店  １９８４年
【発明の概要】
【発明が解決しようとする課題】
【００１１】
一般に千代紙や布を貼って装飾した小物入れの箱はたとえ見た目は美しくとも、外観の美しさ以外の魅力が少なく、驚きや不思議さを感じさせたり、話題としたくなる魅力に欠ける。また、単なるラベルをつけてもメッセージ性に乏しく、印象に残りにくいので魅力が少ないという課題がある。
【課題を解決するための手段】
【００１２】
本考案は、内箱と外箱とからなる２対の小物入れの箱であり、その形状寸法と厚さは、外箱の開放面を下にした直方体の頂面の長辺、短辺及び直方体高さの外形寸法をそれぞれＡ，Ｂ，Ｃ、内箱の開放面を上にした直方体の底面の長辺、短辺及び直方体高さの外形寸法をそれぞれａ，ｂ，ｃ、外箱の厚さをＴ、内箱の厚さをｔとした時、
Ａ＞ａ＋２Ｔ
Ｂ＞ｂ＋２Ｔ
Ｃ≦ｃ＋Ｔ
ａ＞Ｂ＋２ｔ
ｂ＞ｃ＋２ｔ＋Ｔ
ｃ＞Ａ／２
の不等式が成り立つようにしたことを特徴とする箱セットとし、全く同寸法の２対の箱セットでありながら、どちらでも任意の１対の内外箱を残るもう一方の内外箱に収容することが出来るようにする。
【００１３】
更に、各内外箱の内箱底面外側ないし外箱の側面外側に貼付したラベルには（１）ほぼ上下対称字体の文字及び／又は９０度左回転したほぼ左右対称字体の文字だけからなる「鏡に映しても直に見た時とほぼ同じに見えて違和感なく読める言葉」と、（２）最初から上下鏡像反転して記した言葉や文で「鏡に映さないと読みにくい隠し言葉」との２種類からなる言葉又は文が記されており、鏡に映して見たものが（１’）「鏡像反転してもほぼ変わらない言葉の映像」と、（２’）「鏡に映して初めて判読できるようになった隠し言葉又は隠し文の映像」との２種類の映像を同時に見えるようにして、鏡に映してみた時の鏡像反転の現象に対して困惑させる。
【００１４】
または、上記のラベルとして（１）ほぼ左右対称字体の文字だけからなる「鏡に映しても直に見た時とほぼ同じに見えて違和感なく読める言葉」と、（２）最初から左右鏡像反転して記した言葉や文で「鏡に映さないと読みにくい隠し言葉」との２種類からなる言葉又は文を記す。
【発明の効果】
【００１５】
本発明の箱セットを手にした者は、外箱をとって開けてみると他柄の同様の１対の内外箱が中身として入っている意外性に驚くと共に、これらの２対の内外箱が同一寸法からなるものであり、収納側と被収納側を入れ替えることができることに気づいた時、それまで持っていた常識が覆された新たな発見ができる。更にラベルを見て隠し言葉の存在に気付いて鏡に映して見た時、隠し言葉が読めるのと同時に、同時に記されてある言葉が鏡像反転させても違和感なく読めることに、驚きと不思議の連続で感動する。この箱セットの提供者が伝えたいメッセージやキャンペーンフレーズに対しても、判明した隠し言葉なので活性化した脳の働きにより印象が深く残る。こうした常識を覆す意外性の連続は、土産として持ち帰った家族や友人などに伝えたいという話題性も高いので、これを提供した者に好感を持つことが期待できる。
【図面の簡単な説明】
【００１６】
【図１】図１は任意の一対の内外箱を一体にして、残る内箱に嵌め込んで外箱を被せる前の外観である。
【図２】図２は図１の状態を透視図で確認したものである。
【図３】図３は本考案に関わる内外箱の各部寸法の関係を示すために、内外箱外形の辺や厚さに対する記号を定義した図である。
【図４】図４は本考案に関わる箱セットに関して、内外箱を合体させた時と、一方の内外合体箱を他方の内外箱に収容して、２対の内外箱全体を１体にした時の状況を箱の中央で切った断面で、図３で定義した各部寸法を示して説明したものである。
【図５】図５は本考案の箱に貼付するラベルの言葉の配置例を示したものである。
【図６】図６は図５のラベルを英文字で作成した場合の一例を示している。
【図７】図７はラベルをほぼ左右対称の漢字で構成した言葉を縦書きし、漢字、ひら仮名混じりの文を縦書きで作成し鏡像反転して記載した場合の一例を示している。
【発明を実施するための形態】
【００１７】
図１は一つ目の内外箱を合体してもう一つの箱セットの内箱に入れた時の外観であり、外箱を被せる前の状態を示したものである。図２は図１の状態を透視図でわかりやすくしたものである。
【００１８】
図３では外箱の外寸法Ａ，Ｂ，Ｃと板厚Ｔ、及び内箱の外形寸法ａ，ｂ，ｃと板厚ｔを定義している。図４では２対ある内外箱をそれぞれ合体させた時の状況と、１対の内外箱を合体させた後、他方の内箱に収容して外箱を被せた時の状況をそれぞれ箱中央部における断面図により示したものである。内外箱を合体させると外箱は内箱の底面以外の周囲全体を覆う大きさとなっており、内外合体箱の側面は外箱の側面そのものであり、そのうち小さい方の側面Ｂ×Ｃが内箱の内のり寸法（ａ−２ｔ）×（ｂ−２ｔ）より小さい寸法になっているので、一方の内外一体箱を他方内箱に収容できる寸法となっている。
【００１９】
一般的に、これら外箱及び内箱の外形寸法と板厚、Ａ，Ｂ，Ｃ，Ｔ，ａ，ｂ，ｃ，ｔの数値の間の関係式を示すと次のような条件を満たす必要がある。
Ａ＞ａ＋２Ｔ
Ｂ＞ｂ＋２Ｔ
Ｃ≦ｃ＋Ｔ
ａ＞Ｂ＋２ｔ
ｂ＞ｃ＋２ｔ＋Ｔ
ｃ＞Ａ／２
但し、不等号の式を満足させて部材寸法を決定する際は、内外箱を合体させる時の擦り合う面の隙間寸法分を加味して決定する必要がある。また、箱の厚さｔは箱を形成する構造材の厚さとそれに貼付する千代紙や布などの装飾材の厚さとを合計した厚さである。
【００２０】
内箱と外箱の寸法の具体例として内箱と外箱それぞれの材料厚さｔを１ｍｍとした時の各部寸法を表１に示す。但し、用いた記号は図３に定義した内外箱の外形の寸法である。前に示した必要条件を確認すると、以下のように満足している。
Ａ＝６３ｍｍ＞ａ＋２Ｔ＝６２ｍｍ
Ｂ＝５７ｍｍ＞ｂ＋２Ｔ＝５６ｍｍ
Ｃ＝５１ｍｍ≦ｃ＋Ｔ＝５１ｍｍ
ａ＝６０ｍｍ＞Ｂ＋２ｔ＝５９ｍｍ
ｂ＝５４ｍｍ＞ｃ＋Ｔ＋２ｔ＝５３ｍｍ
ｃ＝５０ｍｍ＞Ａ／２＝３１．５ｍｍ
内箱の底面外側の長方形の２辺の寸法はａ×ｂ＝６０ｍｍ×５４ｍｍ、外側の高さｃは５０ｍｍであり、外箱の頂面内側の長方形の２辺の寸法は（Ａ−２ｔ）×（Ｂ−２ｔ）＝６１ｍｍ×５５ｍｍであり、外箱高さ内側の寸法すなわち内のり深さの寸法は５０ｍｍなので、開放面を上向きにした状態の内箱に開放面を下向きにした外箱を被せて合体することができ、合体後の外箱は内箱の底面以外の全面を覆い隠すことができる。次に、任意に選んだ１対の内外合体箱を残る他方の内箱に入れようとすると、内箱底面内側の長方形の辺寸法、長辺×短辺は（ａ−２ｔ）×（ｂ−２ｔ）＝５８ｍｍ×５２ｍｍであり、外箱の側面のＢとＣからなる外寸法はＢ×Ｃが５７ｍｍ×５１ｍｍであるので、内箱の底面長方形の内寸法より小さく、内外合体箱を内箱に入れることができる。更に、残りの外箱を被せることができ、２対の内外箱セット全体を一体にすることができる。
【００２１】
外箱と内箱の寸法の例、但し、記号は図３に示した各部寸法の定義に基づく。
【表１】
2011178431.tif 000003
【００２２】
このような寸法の内箱、外箱を製作する際は用意した厚紙を所定寸法に切り抜き、折りと接着により内箱、外箱をそれぞれ同じものを２体づつ製作し、少なくとも外箱の外側には千代紙または布を貼って美麗な外観を与える。更に上下対称ないし９０度左回転させた左右対称文字だけからなる言葉と上下鏡像逆転した文を隠し言葉として挿入した形態を持つラベル、または、左右対称文字だけからなる言葉と左右鏡像逆転した文を隠し言葉として挿入した形態を持つラベルを外箱外面または内箱底面外側に貼付する。また、箱を製作する際の材質は、内箱及び／又は外箱を漆器として高級感を高めたり、アルミやチタンなどの金属として薄く強度をもったものにすることもできる。
【実施例１】
【００２３】
図１は、本考案の箱セットで、任意の一対の内外箱を一体にして、残る内箱に嵌め込んで外箱を被せる前の外観である。収容される側の内外合体箱は外箱が内箱を完全に仕舞った状態で、外からは内箱の底面しか見えない。これを外箱側面の面積が小さいほうの面を下にして収納側の内箱の底面に向けて入れることができる。この後、収容側の外箱を被せ、同寸法でありながら他の内外箱を収容することができる。
【００２４】
箱の形状寸法は［００１９］で示した寸法数値間の関係式が成り立っている特有の寸法でできており、２対の同寸法の内外箱でありながら互いに他の内外合体箱を収容できる。箱の材料はボール紙としてプラスチックを切断接着して製作した場合と比して材料費を下げ、製作し易くする。また外箱の外側は千代紙を糊づけして覆うことで日本文化の趣を備えた美麗な箱となる。
【００２５】
図２は図１で示した状態である一方の内外箱を合体させた上、他方の内箱に収容して外箱を被せるまでの各箱の位置関係と合体の手順を、手順番号（１）〜（３）を付した矢印と共に透視図で示したものである。
【００２６】
図３は本考案の箱セットに関わる内箱と外箱の合体状況を説明するために、直方体形状の各辺の記号を定義したものである。いずれも外形寸法を表している。
【００２７】
図４の（１）〜（４）は本考案に関わる箱セットに関して、内外箱を合体させた時と、一方の内外合体箱を他方の内外箱に収容して２対の箱全体を１セットにした時を合体物の中央部の切断面で、図３で定義した各部寸法を示して説明したものである。合体状況を分かり易くするため内箱は点線、外箱は実線で示し、各番号は以下の断面状況である。
（１）内外箱１対を合体した際の内箱底面の長辺に沿った断面
（２）内外箱１対を合体した際の内箱底面の短辺に沿った断面
（３）一方の内外合体箱を他方の内外箱に収容した際の内箱底面の長辺に沿った断面
（４）一方の内外合体箱を他方の内外箱に収容した際の内箱底面の短辺に沿った断面
【００２８】
それぞれの外箱の端面にはラベルが貼ってある。このラベルは鏡に映しても違和感なく読める言葉と鏡に映さないと判別しにくい鏡像反転した文が隠し言葉として印刷されているため、見る者の脳を活性化させ、隠し言葉として記載されたメッセージも印象に残り、話題性を高め魅力あるものとなる。それらラベル内容の具体例は実施例２及び３で説明する。
【実施例２】
【００２９】
図５に、ラベルの構成と具体例を示す。これらの言葉を形成する文字群は下段６にはほぼ上下対称の文字だけからなる言葉、上段７にはほぼ左右対称の文字だけを左９０度回転させた文字群からなる言葉、中段８には任意の文字を使った文を、文字群全体を上下に鏡像反転して記されており、鏡で映さないと解読しづらい隠し言葉となっている。このラベル全体を上下反転させるように鏡に映すと、下段６と上段７は映す前同様の字体であり、中段８は反転前の字体に戻るので判読することができる。
【００３０】
図６には図５で示したラベルの言葉の具体的な例として英文字で構成した場合を示す。ほぼ上下対称の文字だけからなる言葉として“ＢＯＯＫ  ＣＨＯＩＣＥ”、ほぼ左右対称の文字だけからなる言葉として“ＨＯＷ＊ＷＨＹ＊ＷＨＡＴ”が左９０度回転した横倒しで記されており、その間には筆記体で書かれた“Ｎｏｔｈｉｎｇ  ｉｓ  ｉｍｐｏｓｓｉｂｌｅ．”の文が上下鏡像反転して記されている。一点鎖線で囲った四角はこのラベルを鏡に映す際の鏡に位置を示しており、その鏡像を示す。ほぼ上下対称の文字形状からなる６とほぼ左右対称の文字を左９０度回転した横倒し状態とした７の言葉は鏡像としても変わらず、８の文は上下反転しているために読みづらい隠し言葉となっているが、８１に示した鏡に映した際の像では読むことができる。
【００３１】
図７には和文縦書きしたラベルの具体的な例として漢字とひらがなで構成した場合を示す。ほぼ左右対称の言葉として「豊美小函」と「百人一首由来」が縦書きで記されており、草書体のひらがなで書かれた「なげきつつひとりぬる夜のあくるまはいかに久しきものとかはしる  右大将道綱の母」の文全体が左右鏡像反転して記されている。また、一点鎖線で囲った四角はこのラベルを鏡に映す際の鏡の位置を示しており、その鏡像を示す。ほぼ左右対称の文字形状からなる９、１０の言葉は鏡像としても殆ど変わらないので鏡に映しても読むことができ、１１の文は左右反転しているために読みづらい隠し言葉となっているが、１１１に示した鏡に映した際の像では読むことができる。
【産業上の利用可能性】
【００３２】
この箱セットは特に外人客が来日した際に手渡したり、海外に持ってゆく土産として、また、結婚式などの記念品、キャンペーン商品の宣伝を兼ねた販促グッズなどとして個人だけでなくホテルやメーカなどが提供する贈答品として用いることができる。
【符号の説明】
【００３３】
１    内箱
２    外箱
３    内箱（１と同寸法）
４    外箱（２と同寸法）
５    ラベル
６    ほぼ上下対称の文字だけからなる言葉
７    ほぼ左右対称の文字だけを左９０度回転させて並べた言葉
８    上下鏡像反転させた任意の文（隠し言葉）
９    ほぼ左右対称の文字だけからなる言葉
１０  ほぼ左右対称の文字だけからなる言葉
１１  左右鏡像反転させた任意の文（隠し言葉）
６１  ６の言葉の鏡像（６とほぼ同じ）
７１  ７の言葉の鏡像（７とほぼ同じ）
８１  ８の言葉の鏡像（上下反転鏡像により判明した隠し言葉）
９１  ９の言葉の鏡像（９とほぼ同じ）
１０１  １０の言葉の鏡像（１０とほぼ同じ）
１１１  １１の言葉の鏡像（左右反転鏡像により判明した隠し言葉）
Ａ  外箱頂面外側の長方形の長辺長さ
Ｂ  外箱頂面外側の長方形の短辺長さ
Ｃ  外箱側面外側の高さ
ａ  内箱底面外側の長方形の長辺長さ
ｂ  内箱底面外側の長方形の短辺長さ
ｃ  内箱側面外側の高さ
Ｔ  外箱の構造材の厚さ
ｔ  内箱の構造材の厚さ
【図１】
2011178431.tif 000004
【図２】
2011178431.tif 000005
【図３】
2011178431.tif 000006
【図４】
2011178431.tif 000007
【図５】
2011178431.tif 000008
【図６】
2011178431.tif 000009
【図７】
2011178431.tif 000010